(57)【要約】【課題】藺草特有の利点を活かした敷物および壁材を提供する。【解決手段】敷物１は、ボード状の第１の層１１と、ボード状の層１１の上面に載る複数枚のござ１２と、間に複数枚のござ１２を挟んでボード状の第１の層１１に対向する位置に配置されたシート状の第２の層１３と、複数枚のござ１２の側面を覆うように配置されたシート状の第３の層１４と、複数本の藺草１５と、ハトメ金具１６とを備える。第３の層１４には、通気孔Ｈが設けられている。複数枚１２のござは、垂直な方向から見たとき所定幅以上の隙間Ｏを生じるように配置されており、通気孔Ｈは隙間Ｏと外部とを連通する位置に設けられている。敷物１により、ユーザは畳敷きの感覚を味わうことができて好適であるし、通気孔Ｈを通して空気が流通しているため、部屋の空気中の有害物質などを複数枚のござ１２の内部にあるござのはぎれ等に吸着させることができ便利である。【選択図】図１
2013181349.tif 000002
【特許請求の範囲】
【請求項１】
ボード状もしくはシート状の第１の層と、
前記第１の層に対向する位置に配置されたシート状もしくはボード状の第２の層と、
前記第１の層と前記第２の層との間に配置された複数枚のござと
を備え、
前記複数枚のござのうち２枚以上のござの各々が、前記第１の層に接するように配置されている
敷物または壁材。
【請求項２】
前記複数枚のござの一部は垂直な方向に積層されている
請求項１に記載の敷物または壁材。
【請求項３】
前記積層されている前記複数枚のござの一部は、互いに接する２枚のござの藺草の長手方向が互いに交差する方向に配置されている
請求項２に記載の敷物または壁材。
【請求項４】
前記２枚以上のござは、垂直な方向から見たとき、所定幅以上の隙間を生じるように配置されている
請求項１乃至３のいずれかに記載の敷物または壁材。
【請求項５】
前記２枚以上のござは、前記隙間に対し藺草の断面が露出する方向に配置されている
請求項４に記載の敷物または壁材。
【請求項６】
前記複数枚のござの前記第１の層に接する側の面を底面とし、前記複数枚のござの前記第２の層に接する側の面を上面とするとき、前記複数枚のござの側面を覆うように配置されたシート状もしくはボード状の第３の層を備え、
前記第３の層に通気孔が設けられている
請求項１乃至５のいずれかに記載の敷物または壁材。
【請求項７】
前記複数枚のござは、垂直な方向から見たとき、所定幅以上の隙間を生じるように配置されており、
前記通気孔は前記隙間と外部とを連通する位置に設けられている
請求項６に記載の敷物または壁材。
【請求項８】
前記隙間に長手方向が一致するように配置された複数本の藺草を備える
請求項７に記載の敷物または壁材。
【請求項９】
前記通気孔の縁部を覆うように配置されたハトメ金具を備える
請求項６乃至８のいずれかに記載の敷物または壁材。
【請求項１０】
前記第１の層もしくは前記第２の層に通気孔が設けられている
請求項１乃至９のいずれかに記載の敷物または壁材。
【請求項１１】
ござにより形成される第１の層と、
前記第１の層に対向する位置に配置されたござにより形成される第２の層と、
前記第１の層と前記第２の層との間に配置された１枚以上のござと
を備え、
前記第１の層と前記第２の層が互いに積層された状態で外縁の少なくとも一部が互いに連結されている
敷物または壁材。
【請求項１２】
前記第１の層と前記第２の層との間に、藺草とは異なる素材を材料とするクッション材を備える
請求項１乃至１１のいずれかに記載の敷物または壁材。
【発明の詳細な説明】
【技術分野】
【０００１】
本発明は、例えば一般住宅などにおいて用いられる敷物および壁材に関する。
【背景技術】
【０００２】
近年、一般住宅などにおいては洋式のフローリングなどの床材が好まれ、従来に比べると畳敷きの部屋などは減ってきている。そのようなライフスタイルの変化に伴って、藺草を生産する農家も厳しい経済状況に追いやられて、だんだんと減っていっているという現状がある。
【０００３】
そこで、畳製造業者などは、なんとか藺草に対する需要を掘り起こして、農家が藺草の生産を続けられるようにする取り組みを行なっている。例えば、本発明者が創作した別の発明に対する特許出願（特願２０１１−２６２５６０）なども行なわれている。
【０００４】
一方で、フローリングなどの床材に適した（藺草を用いていない）敷物も様々な形で発明されている。例えば、特許文献１に開示される敷物は、内部に空気を流通させる流路を形成し通気性や放熱性を高める手段を開示している。また、特許文献２に開示される敷物も、やはり内部に空気の流通経路を設け、簡易に乾燥することができるとともに臭い成分の消臭効果においても優れた性能を提供している。
【先行技術文献】
【特許文献】
【０００５】
【特許文献１】特開平１１−２８５４２５号公報
【特許文献２】実登３１３７４１８号公報
【発明の概要】
【発明が解決しようとする課題】
【０００６】
ところで、長手方向の長さが短い藺草をできるだけ有効利用して、はぎれなども使いながら、藺草特有のメリットを生かした敷物や壁材は、未だ市場において提供されていない。
【０００７】
そこで、本発明は、藺草特有の利点を生かしながら藺草をできるだけ有効利用した敷物および壁材を提供することを目的とする。
【課題を解決するための手段】
【０００８】
本発明は、上記の目的に鑑みて想到されたものであり、
ボード状もしくはシート状の第１の層と、
前記第１の層に対向する位置に配置されたシート状もしくはボード状の第２の層と、
前記第１の層と前記第２の層との間に配置された複数枚のござと
を備え、
前記複数枚のござのうち２枚以上のござの各々が、前記第１の層に接するように配置されている
敷物もしくは壁材を提供する（第１の実施態様）。
【０００９】
また、上記の第１の実施態様において、
前記複数枚のござの一部は垂直な方向に積層されている
構成を採用してもよい（第２の実施態様）。
【００１０】
また、上記の第２の実施態様において、
前記積層されている前記複数枚のござの一部は、互いに接する２枚のござの藺草の長手方向が互いに交差する方向に配置されている
構成を採用してもよい（第３の実施態様）。
【００１１】
また、上記の第１乃至３のいずれかの実施態様において、
前記２枚以上のござは、垂直な方向から見たとき、所定幅以上の隙間を生じるように配置されている
構成を採用してもよい（第４の実施態様）。
【００１２】
また、上記の第４の実施態様において、
前記２枚以上のござは、前記隙間に対し藺草の断面が露出する方向に配置されている
構成を採用してもよい（第５の実施態様）。
【００１３】
また、上記の第１乃至５のいずれかの実施態様において、
前記複数枚のござの前記第１の層に接する側の面を底面とし、前記複数枚のござの前記第２の層に接する側の面を上面とするとき、前記複数枚のござの側面を覆うように配置されたシート状もしくはボード状の第３の層を備え、
前記第３の層に通気孔が設けられている
構成を採用してもよい（第６の実施態様）。
【００１４】
また、上記の第６の実施態様において、
前記複数枚のござは、垂直な方向から見たとき、所定幅以上の隙間を生じるように配置されており、
前記通気孔は前記隙間と外部とを連通する位置に設けられている
構成を採用してもよい（第７の実施態様）。
【００１５】
また、上記の第７の実施態様において、
前記隙間に長手方向が一致するように配置された複数本の藺草を備える
構成を採用してもよい（第８の実施態様）。
【００１６】
また、上記の第６乃至８のいずれかの実施態様において、
前記通気孔の縁部を覆うように配置されたハトメ金具を備える
構成を採用してもよい（第９の実施態様）。
【００１７】
また、上記の第１乃至９のいずれかの実施態様において、
前記第１の層もしくは前記第２の層に通気孔が設けられている
構成を採用してもよい（第１０の実施態様）。
【００１８】
また、本発明は、
ござにより形成される第１の層と、
前記第１の層に対向する位置に配置されたござにより形成される第２の層と、
前記第１の層と前記第２の層との間に配置された１枚以上のござと
を備え、
前記第１の層と前記第２の層が互いに積層された状態で外縁の少なくとも一部が互いに連結されている
敷物もしくは壁材を提供する（第１１の実施態様）。
【００１９】
また、上記の第１乃至１１のいずれかの実施態様において、
前記第１の層と前記第２の層との間に、藺草とは異なる素材を材料とするクッション材を備える
構成を採用してもよい（第１２の実施態様）。
【発明の効果】
【００２０】
本発明の第１の実施態様にかかる敷物および壁材によれば、第１の層と第２の層との間において複数枚のござが所定の箇所に配置されているので、長手方向の長さが短い藺草を有効利用することができる。
【００２１】
また、本発明の第２の実施態様にかかる敷物および壁材によれば、第１の層と第２の層との間にござの積層体を備えているので、敷物および壁材のクッション性を確保することができる。
【００２２】
また、本発明の第３の実施態様にかかる敷物および壁材によれば、藺草の長手方向が交差するように積み重ねられてござの積層体が構成されているので、当該ござの積層体の強度や耐久性において優れた製品を提供することができる。
【００２３】
また、本発明の第４の実施態様にかかる敷物および壁材によれば、ござもしくはござの積層体の内部において所定の箇所に所定幅以上の隙間が設けられているので、やはり好適なクッション性を確保することができる。
【００２４】
また、本発明の第５の実施態様にかかる敷物および壁材によれば、藺草の断面が隙間に対して露出する方向に配置されているので、ござもしくはござの積層体の内部の空気の流通において優れた効果をもたらすことができる。
【００２５】
また、本発明の第６の実施態様にかかる敷物および壁材によれば、敷物および壁材の側面に通気孔が設けられているので、有害物質などをござもしくはござの積層体の内部に吸着させることができる。
【００２６】
また、本発明の第７の実施態様にかかる敷物および壁材によれば、上述の通気孔が上述の隙間と外部とを連通する位置に設けられているので、有害物質などの吸着という利点においてより優れた効果をもたらす。
【００２７】
また、本発明の第８の実施態様にかかる敷物および壁材によれば、上述の隙間に長手方向が一致するように配置された複数本の藺草を備えるので、敷物および壁材のクッション性を高めることができるとともに、当該複数本の藺草に有害物質などを吸着させることができる。
【００２８】
また、本発明の第９の実施態様にかかる敷物および壁材によれば、上述の通気孔の縁部を覆うように配置されたハトメ金具を備えるので、当該通気孔がしっかりと確保されござもしくはござの積層体の内部に空気を取り入れることができる。
【００２９】
また、本発明の第１０の実施態様にかかる敷物および壁材によれば、上述の第１の層もしくは第２の層に通気孔が設けられているので、ござもしくはござの積層体の内部での有害物質の吸着という利点においてより優れた効果をもたらすことができる。また、メッシュ状の手触りによって好適な感触をユーザに与えることができる。
【００３０】
また、本発明の第１１の実施態様にかかる敷物および壁材によれば、外面を覆うござに用いられている藺草に加え、クッション材の一部として内部に配置されるござに用いられている藺草が、有害物質などの吸着効果をもたらす。また、内部に配置されるござはその外観が劣ったり、サイズが敷物もしくは壁材の全体の広さより狭いサイズであってもよい。そのため、従来は廃棄されていた藺草を有効活用できる。
【００３１】
また、本発明の第１２の実施態様にかかる敷物および壁材によれば、内側の充填物がござもしくは藺草のみである場合と比較し、高いクッション性が得られる。
【図面の簡単な説明】
【００３２】
【図１】図１は、本発明の一実施例にかかる敷物の外観を表す斜視図である。
【図２】図２は、図１のＡＡ線矢視断面図である。
【図３】図３は、図１のＢＢ線矢視断面図である。
【図４】図４は、本発明の実施例の一変形例にかかる敷物を上方から見た場合の隙間および藺草の繊維の方向を示したである。
【図５】図５は、本発明の実施例の一変形例にかかる敷物の断面を模式的に示した図である。
【発明を実施するための形態】
【００３３】
（実施例）
以下、本発明の一具体例である実施例について、図面を用いて説明する。なお、本実施例は、本発明を敷物１に適用した例である。
【００３４】
図１は、本実施例にかかる敷物１の外観を表す斜視図である。また、図２は、図１のＡＡ線矢視断面図である。また、図３は、図１のＢＢ線矢視断面図である。
【００３５】
なお、本明細書における上下の方向（垂直な方向）は、敷物１を床面上に配置した状態における上下の方向（垂直な方向）であるものとする。
【００３６】
敷物１は、ボード状の第１の層１１と、第１の層１１を床面上に配置した場合に第１の層１１の上面に載る複数枚のござ１２と、間に複数枚のござ１２を挟んで第１の層１１に対向する位置に配置されたシート状の第２の層１３と、複数枚のござ１２の側面を覆うように配置されたシート状の第３の層１４と、後述する複数本の藺草１５と、後述するハトメ金具１６とを備えている。
【００３７】
第１の層１１は、例えば、縦および横の長さが各々８０センチメートルであり、高さが４センチメートルの木製の板状体である。第１の層１１の下面は床面と対向しつつ接触し、第１の層１１の上面には複数枚のござ１２が載る。複数枚のござ１２は、例えば全体として第１の層１１と略同じサイズおよび形状を有する。
【００３８】
複数枚のござ１２は、上述のように第１の層１１と第２の層１３との間に配置される。複数枚のござ１２のうち２枚以上のござの各々は、第１の層１１に接するように配置されている。そして、複数枚のござ１２の一部は、上下方向（垂直な方向）に積層されている。
【００３９】
そのように積層されている複数枚のござ１２の一部は、互いに接する２枚のござの藺草の長手方向が互いに交差する方向に配置されている。そのように積層されることによって、ござの積層体がクッション性および引っ張りや圧縮に対する強度を有することができる。また、敷物１を製造する工程において、複数枚のござ１２を上下方向から圧縮することによって、上述の利点が容易にもたらされる。
【００４０】
複数枚のござ１２のうちの上述の２枚以上のござは、垂直な方向から見たとき、所定幅以上の隙間Ｏを生じるように配置されている。隙間Ｏが存在することによって、敷物１のクッション性が高まるとともに、後述するように敷物１の内部において空気の流通が生まれ有害物質を藺草が吸着するという利点がもたらされる。
【００４１】
上述の２枚以上のござは、少なくとも一部分が隙間Ｏに対し藺草の断面が露出する方向に配置されている。それにより、隙間Ｏから藺草の長手方向へと空気の通路が形成され、上述したように有害物質を吸着し易くなる。
【００４２】
第２の層１３は、例えば、容易には破れない布や、ござ１２よりも外観が優れたござである。
【００４３】
第３の層１４は、複数枚のござ１２の第１の層１１に接する側を底面とし、複数枚のござ１２の第２の層１３に接する面を上面とするとき、上述のように複数枚のござ１２の側面を覆うように配置される。
【００４４】
第３の層１４は、第２の層１３と同様に、例えば、容易には破れない布や、ござ１２よりも外観が優れたござである。また、第３の層１４は第２の層１３から連続しており、第１の層１１の所定の箇所まで覆うようなサイズおよび形状を有していてもよい。所定の箇所とは、例えば、第１の層１１における床面と対向しつつ接触する部分（面）の縁部から内側へ向かって一定の長さを有する位置である。
【００４５】
第３の層１４には、図１に示されるように、通気孔Ｈが設けられている。そして、複数枚のござ１２は、上述のように垂直な方向から見たとき所定幅以上の隙間Ｏを生じるように配置されており、通気孔Ｈは隙間Ｏと外部とを連通する（後述するような）位置に設けられている。
【００４６】
本実施例において、複数枚のござ１２の縦横の各々の中央付近には、複数枚のござ１２を横縦に貫く隙間Ｏが設けられている。通気孔Ｈは、複数枚のござ１２の内部の空気の流通をよくするために設けられるものである。本実施例においては、通気孔Ｈは直径が例えば３．８センチメートル程度の略円形状を有しており、隙間Ｏも通気孔Ｈのサイズに合うように断面が直径３．８センチメートル程度の略円形状を有している円柱形状を有している。
【００４７】
第３の層１４における各々の通気孔Ｈ（本実施例においては、合計４箇所）にはハトメ金具１６が取り付けられている。通気孔Ｈを設けることで、外部から複数枚のござ１２への空気のスムーズな流れを促し、ハトメ金具１６で第３の層１４の通気孔Ｈの開けられた部分を保護することで耐久性を維持するためである。なお、ハトメ金具１６は、例えば真鍮製である。また、ハトメ金具１６のサイズおよび形状は、通気孔Ｈに合致するものである。
【００４８】
なお、各々の通気孔Ｈの内側には、複数本の藺草１５を長手方向が通気孔Ｈの長手方向と一致するように配置する。それは、通気孔Ｈを通る空気の流れを邪魔しないとともに、複数枚のござ１２のクッション性を担保するためである。したがって、複数本の藺草１５を圧縮するようなことはしない方がよい。通気孔Ｈにおける空気の流通がかえって悪くなるためである。
【００４９】
以上のように構成される敷物１の使用法は、通常の座布団と同様である。
【００５０】
すなわち、近年においては、日本においても、畳敷きの部屋よりもフローリングなどのような洋式の床を有する部屋が好まれることが多い。しかし、一定数のユーザは、やはり昔ながらの畳敷きの部屋を懐かしんでおり、フローリングの上にござを敷くなどして対応している。
【００５１】
そこで、敷物１を座布団代わりに用いることで、ユーザは、フローリングなどの部屋においても畳敷きの感覚を味わうことができて好適である。
【００５２】
しかも、敷物１に設けられた通気孔Ｈを通して空気が流通しているため、部屋の空気中の有害物質などを複数枚のござ１２の内部にあるござのはぎれ等および複数本の藺草１５に吸着させることができ、健康にも望ましい。
【００５３】
（変形例）
上述した実施例は、本発明の技術的思想の範囲内で様々に変形が可能である。
【００５４】
まず、敷物１の各構成要素を特定する数値、形状、素材、個数、位置などはあくまでも一例であって、特に問題がなければその他の数値、形状、素材、個数、位置などが用いられてもよい。
【００５５】
例えば、敷物１は第１の層１１と複数枚のござ１２と第２の層１３と第３の層１４と複数本の藺草１５とハトメ金具１６とを備えているものとしたが、本発明はこれによって限定されるものではない。したがって、例えば、第３の層１４、複数本の藺草１５、もしくはハトメ金具１６は、特に問題がなければ、無くてもよい。複数本の藺草１５が通気孔Ｈの中に配置されなければ、通気孔Ｈにおける空気の流通がよく、かえって有害物質の吸着などに貢献するという利点もある。
【００５６】
また、第１の層１１は例えば縦および横の長さが各々８０センチメートルであり高さが４センチメートルの木製の板状体であるものとしたが、本発明はこれによって限定されるものではない。したがって、第１の層１１のサイズおよび形状は、特に問題がなければ、いかなるサイズおよび形状であってもよい。
【００５７】
さらに、第１の層１１は、特に問題がなければ、木材以外のいかなる素材によって作られていてもよい。例えば、第１の層１１が、第２の層１３および第３の層１４と同じく布によって作られていれば、敷物１はいわゆるクッションもしくは座布団のようなものとなる。
【００５８】
また、第２の層１３および第３の層１４は例えば布から作られているものとしたが、本発明はこれによって限定されるものではなく、第２の層１３および第３の層１４は、特に問題がなければ、例えば木材などの布以外の素材から作られていてもよい。
【００５９】
複数枚のござ１２は例えば全体として第１の層１１と略同じサイズおよび形状を有するものとしたが、本発明はこれによって限定されるものではなく、特に問題がなければ、複数枚のござ１２は他のいかなるサイズおよび形状を有していてもよい。
【００６０】
また、複数枚のござ１２の一部は上下方向（垂直な方向）に積層されているものとしたが、本発明はこれによって限定されるものではなく、複数枚のござ１２は、上下方向（垂直な方向）に積層されていなくてもよい。
【００６１】
また、積層されている複数枚のござ１２の一部は互いに接する２枚のござの藺草の長手方向が互いに交差する方向に配置されているものとしたが、本発明はこれによって限定されるものではなく、上述の互いに接する２枚のござの藺草の長手方向が互いに平行になっていてもよい。
【００６２】
また、敷物１を製造する工程において複数枚のござ１２を上下方向から圧縮することにより利点がもたらされるものとしたが、本発明はこれによって限定されるものではなく、敷物１を製造する工程において、複数枚のござ１２を上下方向から圧縮しなくともよい。
【００６３】
また、複数枚のござ１２のうちの上述の２枚以上のござは垂直な方向から見たとき所定幅以上の隙間Ｏを生じるように配置されているものとしたが、本発明はこれによって限定されるものではなく、特に問題がなければ、隙間Ｏは生じなくてもよい。
【００６４】
また、上述の２枚以上のござは少なくとも一部分が隙間Ｏに対し藺草の断面が露出する方向に配置されているものとしたが、本発明はこれによって限定されるものではなく、上述の２枚以上のござは隙間Ｏに対し藺草の断面が露出する方向に配置されていなくてもよい。
【００６５】
また、第３の層１４には通気孔Ｈが設けられており、上述のように複数枚のござ１２は垂直な方向から見たとき所定幅以上の隙間Ｏを生じるように配置されていて、通気孔Ｈは隙間Ｏと外部とを連通するものとしたが、本発明はこれによって限定されるものではなく、特に問題がなければ、通気孔Ｈは設けられなくてもよいし、また通気孔Ｈは隙間Ｏと外部とを連通するのに最適な位置に必ずしも設けられなくてもよい。
【００６６】
また、通気孔Ｈは直径が例えば３．８センチメートル程度の略円形状を有しているものとしたが、本発明はこれによって限定されるものではない。したがって、通気孔Ｈは、特に問題がなければ、いかなるサイズおよび形状を有していてもよい。
【００６７】
また、上述の実施例においては、複数枚のござ１２の縦横の各々の中央付近には複数枚のござ１２を横縦に貫く隙間Ｏが設けられているものとしたが、本発明はこれによって限定されるものではない。したがって、特に問題がなければ、隙間Ｏは設けられなくてもよい。
【００６８】
また、隙間Ｏも通気孔Ｈのサイズおよび形状に合うように断面が直径３．８センチメートル程度の略円形状を有している円柱形状を有しているものとしたが、本発明はこれによって限定されるものではなく、特に問題がなければ、隙間Ｏはいかなるサイズおよび形状を有していてもよい。
【００６９】
また、ハトメ金具１６のサイズおよび形状は通気孔Ｈに合致するものであるとしたが、本発明はこれによって限定されるものではなく、特に問題がなければ、ハトメ金具１６は他のいかなるサイズおよび形状を有していてもよい。
【００７０】
また、ハトメ金具１６は例えば真鍮製であるものとしたが、本発明はこれによって限定されるものではなく、特に問題がなければ、ハトメ金具１６は真鍮以外のいかなる素材によって作られていてもよい。
【００７１】
また、各々の隙間Ｏの内部には複数本の藺草１５が配置されるものとしたが、上述のように、複数本の藺草１５は設けられなくてもよい。
【００７２】
また、第１の層１１もしくは第２の層１３を構成する素材には通気孔が設けられ、第１の層１１もしくは第２の層１３が例えばメッシュ状になっていてもよい。その方が、敷物１の内部の空気の流通が滞りなく行なわれ好適だからである。また、その方が、敷物１の手触りがよく、ユーザに好適な感触を与えることができる。
【００７３】
また、上述した敷物１の使用方法はあくまでも一例であって、特に問題がなければ、他のいかなる方法によって使用されてもよい。
【００７４】
また、本発明は、上述の実施例における敷物１以外の他の部材に対して適用されてもよい。例えば、本発明は、一般的な住宅の壁材として使用されてもよい。なお、本発明が壁材として使用される場合には、第１の層１１および第２の層１３は、ボード状の板材が好適であると考えられる。この場合、第３の層１４は、合成皮革、容易には破れない布などの可撓性を有する部材であることが望ましいと思われる。ただし、これは本発明を限定するものではない。
【００７５】
また、敷物における隙間Ｏの配置は図１に示されるものに限られない。例えば図４に示す敷物２のように、隙間Ｏが平行に配置されていてもよい。なお、図４は、実施例の変形例にかかる敷物２を上方から見た場合の隙間Ｏの配置および藺草の繊維の方向を模式的に示した図である。図４に示されるように、隙間Ｏの内部に配置された複数本の藺草１５の長手方向が複数枚のござ１２の藺草の長手方向と直交していることにより、敷物２の内部における空気の流通がよくなり、有害物質の吸着という利点においてより優れた効果をもたらすことができる。
【００７６】
また、上述した実施例は、敷物の概ね全体（隙間Ｏを除く部分）を覆うように複数枚のござを平面上に並べ、さらに必要に応じて上下方向に複数枚のござを積層して得られるござ１２がクッション材として敷物の内部に配置されることにより、藺草の多用による有害物質の効率的な吸着が図られている。そのような構成に代えて、敷物（もしくは壁材）の外側を覆う第１の層１１、第２の層１３にござを用い、ござ１２には概ね敷物（もしくは壁材）全体を覆うござを１枚以上、用いる構成が採用されてもよい。図５は、そのような変形例にかかる敷物３の断面を模式的に示した図である。
【００７７】
敷物３においては、上述したように、第１の層１１、第２の層１３が１枚のござもしくは複数枚の積層されたござである。第１の層１１と第２の層１３との間には、例えば綿などのクッション材２１と、その上に積層されたござ１２が配置されている。第１の層１１と第２の層１３は、クッション材２１とござ１２を間に挟んだ状態で互いに積層され、外縁の領域Ｍにおいて、一周ぐるりと回るように互いに縫合や接着等により連結されている。そのため、敷物３においては、その側面を覆う第３の層１４が独立しては設けられていない。ここで、ござ１２は、敷物３を上から見た場合の領域Ｍを除く概ね全体を覆う広さの１枚のござ、もしくは複数枚のござの積層体である。
【００７８】
なお、図５に示した変形例において、外縁の領域Ｍの全周が必ずしも連結されている必要はない。例えば、一部の領域が連結されておらず開口している構成や、一部の領域がファスナーなどの開閉部材により開閉可能に連結されている構成などが採用されてもよい。
【００７９】
敷物３によっても、多用される藺草により有害物質の効果的な吸着が行われるとともに、内部に配置されるござ１２は外から見えないため、外観の劣る藺草の有効活用が図られる。
【００８０】
また、上述の実施例における敷物１は、内側の充填物としてござおよび藺草のみが用いられる構成が採用されているが、例えば複数枚のござの間、上もしくは下に、綿などのクッション材を配置する構成が採用されてもよい。そのような構成によれば、クッション材を用いない場合と比較し、格段にクッション性が高まり、用途によっては望ましい。
【００８１】
逆に、図５に示した変形例にかかる敷物３においては、クッション材２１が内側の充填物として配置される構成が採用されているが、クッション材２１を用いず、多数枚のござが積層された構造が採用されてもよい。そのような構成によれば、畳のような堅さを備えた敷物が得られ、用途によっては望ましい。
【産業上の利用可能性】
【００８２】
本発明の敷物および壁材は、例えば一般住宅などにおいて用いられることにより、空気中の有害物質を吸着するなどの利点を有するため、多くのユーザにより使用されることが期待される。したがって、大量に製造・販売され、いわゆる製造業や、小売業などのサービス業において利用可能である。
【符号の説明】
【００８３】
１…敷物、１１…第１の層、１２…複数枚のござ、１３…第２の層、１４…第３の層、１５…複数本の藺草、１６…ハトメ金具、２…敷物、２１…クッション材
【図１】
2013181349.tif 000003
【図２】
2013181349.tif 000004
【図３】
2013181349.tif 000005
【図４】
2013181349.tif 000006
【図５】
2013181349.tif 000007